(57)【特許請求の範囲】
【請求項１】
記録ヘッドに供給する記録液を収容する記録液収容部を形成する容器本体に、
前記記録液収容部を大気に開放する大気開放口と、
前記記録液収容部と前記大気開放口とを連通する空気流路と、が設けられ、
前記空気流路の一部は貫通穴を有する弾性部材で形成され、前記容器本体の外側から前記弾性部材が押圧されて潰されることで前記空気流路が閉じられ、潰された状態が開放されることで前記空気流路が開放され、
前記弾性部材を前記容器本体の外側から押圧して潰すための保持部材を着脱可能に備えている
ことを特徴とする記録液容器。
【請求項２】
記録ヘッドに供給する記録液を収容する記録液収容部を形成する容器本体に、
前記記録液収容部を大気に開放する大気開放口と、
前記記録液収容部と前記大気開放口とを連通する空気流路と、が設けられ、
前記空気流路の一部は前記容器本体の外側に這い回された弾性変形可能なチューブ状部材で形成され、前記容器本体の外側において前記チューブ状部材が潰されることで前記空気流路が閉じられ、潰された状態が開放されることで前記空気流路が開放され、
前記弾性部材を前記容器本体の外側において潰すための保持部材を備えている
ことを特徴とする記録液容器。
【請求項３】
請求項１又は２に記載の記録液容器を備えていることを特徴とする画像形成装置。
【発明の詳細な説明】
【技術分野】
【０００１】
本発明は記録液容器及び画像形成装置に関し、特に被記録媒体に記録液の液滴を吐出して画像を形成する画像形成装置及びこれに用いる記録液容器に関する。
【背景技術】
【０００２】
一般に、プリンタ／ファックス／コピア或いはこれらの機能を複合した画像形成装置としては、画像形成部に電子写真方式を採用したものが知られているが、例えば、記録液の液滴を吐出する液体吐出ヘッドで構成した記録ヘッドを用いて、被記録媒体（以下「用紙」ともいうが材質を限定するものではなく、また、記録媒体、転写材なども同義で使用する。）を搬送しながら、記録液の液滴（以下、インク滴ともいう。）を用紙に付着させて画像形成（記録、印刷、印写、印字も同義語で用いる。）を行なうインクジェット方式の画像形成部を搭載したものもある。
【０００３】
このようなインクジェット記録方式の画像形成装置において、キャリッジ上に記録ヘッドに記録液を供給する小容量の記録液容器であるサブタンクを搭載し、大容量のメインカートリッジ（メインタンク）を装置本体側に設置し、サブタンクに装置本体側のメインカートリッジから記録液（インク）を補充供給するようにした装置が知られている。
【０００４】
このようなサブタンクとしては、特許文献１に記載されているように、記録液収容部の開口を可撓性を有するシール部材で封止して内部に弾性部材を配し、更に記録液収容部を大気に開放する開閉可能な大気開放口を備えたものがある。
【特許文献１】特開２００３−２３７１０８号公報
【０００５】
その他、上述した記録液が補充供給されないメインカートリッジとしては、特許文献２に記載されているように、内部に負圧を導入するための負圧導入部と、この負圧導入部から導入される負圧により内部に液体を取り入れるための液体取り入れ部と、負圧導入部に配されて気体のみを通す気液分離部材とを備えたものがある。
【特許文献２】特開２００３−２００５８５号公報
【０００６】
また、特許文献３に記載されているように、インクを保持する負圧発生部材が収容され、且つインクをインクジェットヘッドに供給するためのインク供給口と大気との連通を得るための大気連通口とが設けられていて、大気連通口近傍の領域がインクを保持しない領域を形成する空間部材を有した第１の収納室と、大気連通口から離れた位置に設けられたインクの連通路のみを介して第１の収納室に連通され、実質的に密閉状態となってインクを収納する第２の収納室を有し、第１の収納室と第２の収納室を一時的同時に大気連通させ、その後第２の収納室のみを再度密閉させる開密封手段を備えたものがある。
【特許文献３】特開２００４−００９４４４号公報
【０００７】
その他、インクカートリッジ（メインタンク）としては特許文献４に記載のようなもの、他の記録材収納容器としては特許文献５に記載のようなトナー収納容器がある。
【特許文献４】特開２００１−３１５３４９号公報
【特許文献５】特開２００３−０８４５５２号公報
【発明の開示】
【発明が解決しようとする課題】
【０００８】
ところで、上述したように記録液収容部を大気開放口を介して大気開放する構成の記録液容器にあっては、記録液収容部と大気開放口とを連通する空気流路に記録液、特に高粘度の記録液が入り込むと、記録液の膜ができて、空気流路内から記録液を除去することが困難になって記録液収容部を大気開放できなくなるおそれがある。また、記録液が空気流路から大気開放口を開閉するための大気開放弁に付着すると、弁が作動しなくなって大気開放できなくなったり、あるいは、大気開放状態になったままになって大気開放口から記録液がリークしたりする。
【０００９】
通常、このように記録液収容部と大気開放口とを連通する空気流路に記録液が入り込むことはないが、輸送時やユーザーのハンドリング時などに記録液容器を上下逆にしてしまう可能性がないことはない。そこで、輸送中などには記録液容器に使用する記録液よりも粘度の低い充填液を充填しておき、初期使用時に、充填液を排出して記録液に置換するような対策が講じられている。
【００１０】
しかしながら、このように初期使用時に充填液を排出して記録液に置換するのでは、初期立ち上がりに時間がかかることになるとともに充填液が無駄になるという課題を生じることになる。
【００１１】
本発明は上記の課題に鑑みてなされたものであり、記録液を初期充填可能な記録液容器及びこの記録液容器を備える画像形成装置を提供することを目的とする。
【課題を解決するための手段】
【００１２】
上記の課題を解決するため、本発明に係る記録液容器は、
記録ヘッドに供給する記録液を収容する記録液収容部を形成する容器本体に、
前記記録液収容部を大気に開放する大気開放口と、
前記記録液収容部と前記大気開放口とを連通する空気流路と、が設けられ、
前記空気流路の一部は貫通穴を有する弾性部材で形成され、前記容器本体の外側から前記弾性部材が押圧されて潰されることで前記空気流路が閉じられ、潰された状態が開放されることで前記空気流路が開放され、
前記弾性部材を前記容器本体の外側から押圧して潰すための保持部材を着脱可能に備えている
構成とした。
【００１３】
本発明に係る記録液容器は、
記録ヘッドに供給する記録液を収容する記録液収容部を形成する容器本体に、
前記記録液収容部を大気に開放する大気開放口と、
前記記録液収容部と前記大気開放口とを連通する空気流路と、が設けられ、
前記空気流路の一部は前記容器本体の外側に這い回された弾性変形可能なチューブ状部材で形成され、前記容器本体の外側において前記チューブ状部材が潰されることで前記空気流路が閉じられ、潰された状態が開放されることで前記空気流路が開放され、
前記弾性部材を前記容器本体の外側において潰すための保持部材を備えている
構成とした。
【００１６】
本発明に係る記録液容器によれば、空気流路の一部は貫通穴を有する弾性部材で形成され、容器本体の外側から弾性部材が押圧されて潰されることで空気流路が閉じられ、潰された状態が開放されることで空気流路が開放され、弾性部材を容器本体の外側から押圧して潰すための保持部材を着脱可能に備えている構成としたので、初期充填で記録液を充填しても空気流路ないし大気開放口への記録液の侵入を防止できて、装置の初期立ち上がり時間を短縮することができる。
本発明に係る記録液容器によれば、空気流路の一部は容器本体の外側に這い回された弾性変形可能なチューブ状部材で形成され、容器本体の外側においてチューブ状部材が潰されることで空気流路が閉じられ、潰された状態が開放されることで空気流路が開放され、弾性部材を容器本体の外側において潰すための保持部材を備えている構成としたので、初期充填で記録液を充填しても空気流路ないし大気開放口への記録液の侵入を防止できて、装置の初期立ち上がり時間を短縮することができる。
本発明に係る画像形成装置によれば、本発明に係る記録液容器を備えているので、装置の初期立ち上がり時間を短縮することができる。
【発明の効果】
【００１７】
本発明に係る記録液容器及び画像形成装置によれば、記録液を収容する記録液収容部と、この記録液収容部を大気に開放する大気開放口と、記録液収容部と大気開放口とを連通する空気流路とを備えるとともに、空気流路を封止／開放する開閉手段を備えているので、初期充填で記録液を充填しても空気流路ないし大気開放口への記録液の侵入を防止できて、装置の初期立ち上がり時間を短縮することができる。
【発明を実施するための最良の形態】
【００１８】
以下、本発明の実施の形態について添付図面を参照して説明する。本発明に係る画像形成装置の一例について図１ないし図３を参照して説明する。なお、図１は同画像形成装置の全体構成を示す概略構成図、図２は同装置の画像形成部及び副走査搬送部の平面説明図、図３は同副走査搬送部の拡大説明図である。
【００１９】
この画像形成装置は、装置本体１の内部（筺体内）に、画像を形成するための画像形成部（手段）２、副走査搬送部（手段）３等を有し、装置本体１の底部に設けた収容手段である給紙部（手段）４から被搬送部材である被記録媒体（以下「用紙」というが、材質を紙に限定するものではない。）５を１枚ずつ分離して給紙し、副走査搬送部３によって用紙５を画像形成部２に対向する位置で間歇的に搬送しながら、画像形成部２によって用紙５に液滴を吐出して所要の画像を形成（記録）した後、排紙搬送部６を通じて装置本体１の上面に形成した排紙トレイ７上に用紙５を排紙する。
【００２０】
また、この画像形成装置は、画像形成部２で形成する画像データ（印刷データ）の入力系として、装置本体１の上部で排紙トレイ７の上方には画像を読み取るための画像読取部（スキャナ部）１１を備えている。この画像読取部１１は、照明光源１３とミラー１４とを含む走査光学系１５と、ミラー１６、１７を含む走査光学系１８とが移動して、コンタクトガラス１２上に載置された原稿の画像の読み取りを行い、走査された原稿画像がレンズ１９の後方に配置した画像読み取り素子２０で画像信号として読み込まれ、読み込まれた画像信号はデジタル化され画像処理され、画像処理した印刷データを印刷することができる。なお、コンタクトガラス１２上には原稿を押えるための圧板１０を備えている。
【００２１】
さらに、この画像形成装置は、画像形成部２で形成する画像データ（印刷データ）の入力系として、外部のパーソナルコンピュータ等の情報処理装置、イメージスキャナなどの画像読取り装置、デジタルカメラなどの撮像装置などのホスト側からの画像データを含む印刷データ等をケーブル或いはネットワークを介して受信可能であり、受信した印刷データを処理して印刷することができる。
【００２２】
ここで、この画像形成装置の画像形成部２は、図２にも示すように、キャリッジガイド２１及び図示しないガイドステーでキャリッジ２３を主走査方向に移動可能に保持し、主走査モータ２７で駆動プーリ２８ａと従動プーリ２８ｂ間に架け渡したタイミングベルト２９を介して主走査方向に移動走査する。
【００２３】
そして、このキャリッジ２３上に、それぞれの色の液滴を吐出する液滴吐出ヘッドからなる記録ヘッド２４を搭載し、キャリッジ２３を主走査方向に移動させ、副走査搬送部３によって用紙５を用紙搬送方向（副走査方向）に送りながら記録ヘッド２４から液滴を吐出させて画像形成を行うシャトル型としている。
【００２４】
記録ヘッド２４は、それぞれブラック（Ｂｋ）インクを吐出する２個の液滴吐出ヘッド２４ｋ１、２４ｋ２と、シアン（Ｃ）インク、マゼンタ（Ｍ）インク、イエロー（Ｙ）インクを吐出するそれぞれ１個の液滴吐出ヘッド２４ｃ、２４ｍ、２４ｙの計５個の液滴吐出ヘッド（以下単に「ヘッド」という。）で構成されている。また、キャリッジ２３には各記録ヘッド２４に所要の色の記録液を供給するために本発明に係る記録液容器であるサブタンク２５を搭載している。
【００２５】
一方、図１に示すように、装置本体１の前面からカートリッジ装着部２６Ａに、ブラック（Ｋ）インク、シアン（Ｃ）インク、マゼンタ（Ｍ）インク、イエロー（Ｙ）インクをそれぞれ収容した記録液カートリッジである各色のインクカートリッジ２６を着脱自在に装着でき、各色のインクカートリッジ２６から各色のサブタンク２５に図示しないチューブを介してインク（記録液）を補充供給する。なお、ブラックインクは１つのインクカートリッジ２６から２つのサブタンク２５に供給する構成としている。
【００２６】
なお、記録ヘッド２４としては、インク流路内（圧力発生室）のインクを加圧する圧力発生手段（アクチュエータ手段）として圧電素子を用いてインク流路の壁面を形成する振動板を変形させてインク流路内容積を変化させてインク滴を吐出させるいわゆるピエゾ型のもの、或いは、発熱抵抗体を用いてインク流路内でインクを加熱して気泡を発生させることによる圧力でインク滴を吐出させるいわゆるサーマル型のもの、インク流路の壁面を形成する振動板と電極とを対向配置し、振動板と電極との間に発生させる静電力によって振動板を変形させることで、インク流路内容積を変化させてインク滴を吐出させる静電型のものなどを用いることができる。
【００２７】
また、キャリッジ２３の走査方向一方側の非印字領域には、記録ヘッド２４のノズルの状態を維持し、回復するためのヘッドクリーニング装置を含む維持回復装置１２１を配置している。この維持回復装置１２１は、５個の記録ヘッド２４の各ヘッドのノズル面をキャピングするための５個の保湿用キャップ１２２ｋ２、１２２ｋ１、１２２ｃ、１２２ｍ、１２２ｙ（色を区別しないときは「保湿用キャップ１２２」という。）と、１個の吸引用キャップ１２３と、記録ヘッド２４のノズル面をワイピングするためのワイパーブレード１２４と、空吐出を行うための空吐出受け１２５などを備えている。
【００２８】
副走査搬送部３は、下方から給紙された用紙５を略９０度搬送方向を転換させて画像形成部２に対向させて搬送するための、駆動ローラである搬送ローラ３２とテンションローラである従動ローラ３３間に架け渡した無端状の搬送ベルト３１と、この搬送ベルト３１の表面を帯電させるために高圧電源から交番電圧である高電圧が印加される帯電手段である帯電ローラ３４と、搬送ベルト３１を画像形成部２の対向する領域でガイドするガイド部材３５と、用紙５を搬送ローラ３２に対向する位置で搬送ベルト３１に押し付ける押さえコロ（加圧コロ）３６と、画像形成部２によって画像が形成された用紙５を搬送ベルト３１から分離するための分離爪３７と、分離された用紙５を排紙搬送部６に送り出すための搬送ローラ３８を備えている。
【００２９】
この副走査搬送部３の搬送ベルト３１は、副走査モータ１３１からタイミングベルト１３２及びタイミングローラ１３３を介して搬送ローラ３２が回転されることで、図２の用紙搬送方向（副走査方向）に周回するように構成している。なお、搬送ベルト３１は、例えば、抵抗制御を行っていない純粋な樹脂材、例えばＥＴＦＥピュア材で形成した用紙吸着面となる表層と、この表層と同材質でカーボンによる抵抗制御を行った裏層（中抵抗層、アース層）との２層構造としている。
【００３０】
また、従動ローラ３３と帯電ローラ３４との間に、搬送ベルト３１の表面に付着した紙粉等を除去するためのクリーニング手段（ここではマイラを用いている。）１３５と、搬送ベルト３１表面の電荷を除去するための除電ブラシ１３６とを備えている。
【００３１】
給紙部４は、装置本体１に抜き差し可能で、多数枚の用紙５を積載して収納する収容手段である給紙カセット４１と、給紙カセット４１内の用紙５を１枚ずつ分離して送り出すための給紙コロ４２及びフリクションパッド４３と、給紙される用紙５を副走査搬送部３に対して搬送する給紙搬送ローラ４４とを有している。給紙コロ４２は図示しない給紙クラッチを介してＨＢ型ステッピングモータからなる給紙モータ（駆動源）４５によって回転され、また給紙搬送ローラ４４も給紙モータ４５によって回転駆動される。
【００３２】
排紙搬送部６は、画像形成が行われた用紙５を搬送する排紙搬送ローラ対６１、６２と、用紙５を排紙トレイ７へ送り出すための排紙搬送ローラ対６３及び排紙ローラ６４とを備えている。
【００３３】
このように構成したこの画像形成装置においては、搬送ベルト３１を駆動する搬送ローラ３２の回転量を検出して、この検出した回転量に応じて副走査モータ１３１を駆動制御するとともに、図示しないＡＣバイアス供給部から帯電ローラ３４に交番電圧である正負極の矩形波の高電圧を印加し、これによって、搬送ベルト３１には正と負の電荷が搬送ベルト３１の搬送方向に対して交互に帯状に印加され、搬送ベルト３１上に所定の帯電幅で帯電が行われて不平等電界が生成される。
【００３４】
そこで、用紙５が給紙部４から給紙されて、搬送ローラ３２と押えコロ３６との間に送り込まれて、正負極の電荷が形成されることによって不平等電界が発生している搬送ベルト３１上へと送り込まれると、用紙５は電界の向きにならって瞬時に分極し、静電吸着力で搬送ベルト３１上に吸着され、搬送ベルト３１の移動に伴って搬送される。
【００３５】
そして、この搬送ベルト３１で用紙５を間歇的に搬送しながら、用紙５上に記録ヘッド２４から記録液の液滴を吐出して画像を記録（印刷）し、印刷が行われる用紙５の先端側を分離爪３７で搬送ベルト３１から分離して搬送ローラ３８で排紙搬送部６に送り出す。
【００３６】
次に、この画像形成装置における本発明を適用する記録液容器であるサブタンクの一例について図４ないし図６を参照して説明する。なお、図４はサブタンクの分解斜視説明図、図５は同サブタンクの模式的側面説明図、図６は図５のＡ−Ａ線に沿う概略断面説明図である。
【００３７】
このサブタンク２５は、記録液であるインクを収容する記録液収容部であるインク収容部２００を形成する容器本体（ケース）２０１に、インク収容部２００の開口を封止する可撓性を有するフィルム状部材（膜部材）２０２を接着又は溶着などで貼り付けたものであり、ケース本体２０１とフィルム状部材２０２との間にはフィルム状部材２０２を外方に付勢するためのバネなどの弾性部材２０３を介装している。また、フィルム状部材２０２には弾性部材２０３に対応して膨らみ部２０２ａを形成してその外面に補強部材２０４を貼り付けている。
【００３８】
また、インク収容部２００にインクを補充供給したときに満タンになったことを検知するための満タン検知レバー２０６をケース２０１の側部に設けた支持部２０７，２０７に揺動可能に取り付けている。
【００３９】
一方、ケース２０１にはインク収容部２００にインクを補充するためのインク導入路部２１１を設け、このインク導入路部２１１とインクカートリッジ２６に接続された供給チューブ２１６とを接続するための連結手段２１２を着脱自在に装着できるようにしている。
【００４０】
また、ケース２０１の下部にはインク収容部２００から記録ヘッド２４にインクを供給するための連結部材２１３を取り付け、この連結部材２１３には記録ヘッド２４のインク供給路２１４を形成し、インク収容部２００との間にはフィルタ２１５を介装している。
【００４１】
そして、ケース２０１の上部分にはインク収容部２００から空気を出すための空気流路２２１を形成している。この空気流路２２１は、インク収容部２００に開口が臨む入口流路部分２２２と、この入口流路部分２２２に続く流路部分２２３とを含み、下流側でケース２０１に設けた大気開放穴（口）２３１に連通し、更に大気開放穴２３１よりも使用状態で下側になる部分に蓄積部２２５を連続して形成している。
【００４２】
この大気開放穴（口）２３１には大気開放弁機構２３２を設けている。この大気開放弁機構２３２はホルダ２３３内に弁座２３４、弁体であるボール２３５及びこのボール２３５を弁座２３４側に付勢するスプリング２３６を収納して構成している。
【００４３】
また、ケース２０１の上部にはインクエンド又はニアーエンドを検知するための２本の検知電極２４１、２４２を装着している。
【００４４】
このように構成したので、大気開放機構２３２のボール２３５を図示しない大気開放ピンで押圧することによって大気開放穴２３１を開口して、インク収容部２００内を空気流路２２１、大気開放穴２３１を通じて大気開放した状態で、インクカートリッジ２６からインクを圧送してサブタンク２５内にインクを補充供給する。このとき、サブタンク２５内の空気は空気流路２２１から大気開放弁機構２３２を通じて排出されることになる。
【００４５】
その後、大気開放弁機構２３２を閉状態にしてサブタンク２５内を大気開放から遮断した状態にし、記録ヘッド２４をキャッピングした状態でサブタンク２５内のインクをノズルから吸引する（ヘッド吸引を行う）ことにより、可撓性フィルム状部材２０２にはバネ２０３の付勢力が掛かっているため、サブタンク２５内には負圧が発生する。
【００４６】
このようにインク収容部２００と大気開放穴（口）２３１とを細い空気流路２２１を介して連通した場合、特に顔料系インクなどの粘度の高いインク、例えば７ｍＰａ・ｓ以上のインクの場合には、固まりやすいために、一旦空気流路２２１内にインクが侵入すると、空気流路２２１が塞がれて大気開放ができなくなる。
【００４７】
そこで、本実施形態では空気流路２２１の入口流路部分２２２に空気流路２２１を開閉する開閉手段（部材ないし機構）を設けるようにしている。
まず、本発明に係るサブタンク（記録液容器）の第１実施形態について図７ないし図９を参照して説明する。なお、図７はサブタンクの入口流路部分の空気流路を閉じた状態の要部拡大断面説明図、図８は同じく空気流路を開放した状態の要部拡大断面説明図、図９は開閉手段を構成するシャッタ部材の斜視説明図である。
【００４８】
ここでは、ケース２０１とフィルム状部材２０２との間に、図９に示すように、空気流路を構成する貫通穴３０２を形成した弾性変形可能なシャッタ部材３０１を配置している。このシャッタ部材３０１は図９（ｂ）に示すように側方から押圧して押し潰すことによって貫通穴３０２が閉じられた状態にすることができ、押圧を解除することによって同図（ａ）に示すように貫通穴３０２が開いた状態にすることができる。このシャッタ部材３０１は、ケース２０１に設けた保持部３１１に変形可能な状態で嵌め込んでいる。
【００４９】
そして、このシャッタ部材３０１のケース２０１側端面側は弾性変形可能なシール部材３０３でシールしている。このシール部材３０３の復元力はシャッタ部材３０１の復元力よりも弱く、シャッタ部材３０１の復元力によって伸びることができる。このシール部材３０３は周囲をケース３０１に接着して密封し、中央部が変形できるように取り付けている。
【００５０】
さらに、このサブタンク２５には、シール部材３０３を介してシャッタ部材３０１を押圧して貫通穴３０２を閉じた状態に保持するための保持部材３０４を備え、この保持部材３０４を例えばケース２０１に係止部３０４ａで係止することでシャッタ部材３０１は貫通穴３０２が閉じた状態に保持される。このようにサブタンク２５のフィルム状部材２０２と反対側からシャッタ部材３０１を開閉できるようにすることで、シャッタ部材３０１の開閉によって、負圧を保持するためのフィルム状部材２０２が動くことを低減することができ、負圧変動によって記録ヘッド２４からインクが漏れるようなことを防止できる。
【００５１】
このように構成したので、輸送時などには図７に示すように保持部材３０４をサブタンク２５に装着してシール部材３０３を介してシャッタ部材３０１を押圧して貫通穴３０２を閉じた状態に保持する。これによって、サブタンク２５の空気流路２２１は閉じられているため、インク収容部２００にインク（記録液）を収容した状態で、サブタンク２５が振動したり、上下逆にされたりしたような場合でも、インク収容部２００のインクが空気流路２２１内に侵入して凝固することを防止できる。
【００５２】
そして、画像形成装置の使用を開始するときには、サブタンク２５に装着している保持部材３０４を取り外すことによって、図８に示すように、シャッタ部材３０１の復元によって貫通穴３０２が開放されて、空気流路２２１が開放されることになり、インク収容部２００を大気開放することもできるようになる。
【００５３】
つまり、サブタンク２５に記録液を初期充填して輸送等を行なうことができるようになる。また、このように、当初からサブタンク２５に記録液を充填して輸送を行なうことができるようになることで、サブタンク２５に充填液を充填して画像形成装置の初期立ち上がり時にサブタンク２５の充填液をインクに置換するための動作が不要になって、装置の初期立ち上がり動作を簡略化することができる。
【００５４】
このように、サブタンクの空気流路を封止／開放する開閉手段を備えていることで、記録液を初期充填することができるようになるとともに、このサブタンクを使用する画像形成装置では初期立ち上がり動作の簡略化を図ることができ、立ち上がり時間を短くすることができる。
【００５５】
ここで、開閉手段は空気流路を形成する貫通穴を有する弾性部材であって、外部から潰されることで空気流路が封止され、潰された状態が開放されることで空気流路を開放するように構成することで、簡単な構成で空気流路の開閉を行なうことができるようになる。そして、この場合、弾性部材を外部から潰すための保持部材を着脱可能に備えていることで、ユーザーの元で簡単に空気流路を開放することができるようになる。
【００５６】
次に、本発明に係るサブタンク（記録液容器）の第２実施形態について図１０及び図１１を参照して説明する。なお、図１０はサブタンクの入口流路部分の空気流路を閉じた状態の要部拡大断面説明図、図１１は同じく空気流路を開放した状態の要部拡大断面説明図である。
ここでは、前記実施形態と同様に空気流路２２１の入口流路部分２２２を開閉するためにシャッタ部材３０１を押圧変形可能にケース２０１の保持部３１１内に嵌め込み、保持部３１１の穴部３１１ａを弾性変形可能なシール部材３０５によって封止している。そして、保持部３１１の穴部３１１ａ内にシール部材３０５を介して嵌め込み可能な凸部３０６ａを備えた保持部材３０６でシャッタ部材３０１を閉じた状態に保持できるようにしている。
【００５７】
つまり、輸送時などには図１０に示すように保持部材３０６の凸部３０６ａをサブタンク２５の保持部３１１の穴部３１１ａ内にシール部材３０５を介して押し込むことで、シール部材３０５を介してシャッタ部材３０１を押圧して貫通穴３０２を閉じた状態に保持する。これによって、サブタンク２５の空気流路２２１は閉じられているため、インク収容部２００にインク（記録液）を収容した状態で、サブタンク２５が振動したり、上下逆にされたりしたような場合でも、インク収容部２００のインクが空気流路２２１内に侵入して凝固することを防止できる。
【００５８】
そして、画像形成装置の使用を開始するときには、サブタンク２５に装着している保持部材３０６を取り外すことによって、図１１に示すように、シャッタ部材３０１の復元によって貫通穴３０２が開放されて、空気流路２２１が開放されることになり、インク収容部２００を大気開放することもできるようになる。
【００５９】
次に、本発明に係るサブタンク（記録液容器）の第３実施形態について図１２及び図１３を参照して説明する。なお、図１２はサブタンクの空気流路を閉じた状態の要部拡大斜視説明図、図１３は同じく空気流路を開放した状態の要部拡大斜視説明図である。
【００６０】
ここでは、インク収容部と大気開放穴（口）とを連通する空気流路を、サブタンクのケース４０１の外側に露出した中空状で弾性変形可能なチューブ（パイプ）４２１によって構成し、このチューブ４２１を押し潰した状態に保持するための保持部材であるクリップ部材４３１を備えている。
【００６１】
したがって、輸送時などには、図１２に示すように、このチューブ４２１をクリップ部材４３１で挟んで潰すことによって内部の空気流路となる中空穴が閉じられ、画像形成装置の使用を開始するときには、図１３に示すように、クリップ部材４３１を外すことによって、チューブ４２１が復元して内部の中空穴が開放されて空気流路が開放されるようにしている。
【００６２】
このように、空気流路を弾性変形可能な中空状のチューブ（又はパイプ状）部材で構成すれば、チューブを潰すか開放するかによって空気流路の開閉を行なうことができ、空気流路の開閉操作を簡単に行なうことができる。
【００６３】
次に、本発明に係るサブタンク（記録液容器）の第４実施形態について図１４ないし図１６を参照して説明する。なお、図１４はサブタンクの空気流路形成部材及び開閉部材の斜視説明図、図１５は同じく空気流路を閉じた状態の要部断面説明図、図１６は同じく空気流路を開放した状態の要部断面説明図である。
【００６４】
ここでは、サブタンク側に空気流路５２１を形成する第１部材である空気流路形成部材５０１（上述した実施形態のケースであっても、別部材であってもよい。）を備え、この空気流路形成部材５０１には空気流路５２１の途中に凹部５３１を形成している。一方、この空気流路形成部材５０１の凹部５３１に嵌め合う凸部５３２を有する第２部材である弾性変形可能なシャッタ部材５０２と備えている。シャッタ部材５０２の周囲は空気流路５０１に密閉状態で接合などしている。
【００６５】
そして、シャッタ部材５０２を押圧変形させてシャッタ部材５０２の凸部５３２が空気流路形成部材５０１の凹部５３１には押し付けられて空気流路５２１を閉じた状態に保持するための保持部材５０４を備え、この保持部材５０４を係止部５０４ａなどで流路形成部材５０１に係止することでシャッタ部材５０２は空気流路５２１を閉じた状態に保持される。この保持部材５０４にはシャッタ部材５０２の凸部５３２の部分を効果的に押圧できるように凸部５０４ｂを形成している。
【００６６】
したがって、輸送時などには、図１５に示すように、保持部材５０４を装着してシャッタ部材５０２の凸部５３２を凹部５３１にはめ込んで空気流路５２１を閉じた状態にしておき、画像形成装置の使用を開始するときには、図１６に示すように、保持部材５０４を外すことによってシャッタ部材５０２が復元して凸部５３２が凹部５３１から離れることで空気流路５２１が開放される。
【００６７】
このように、凹部を有する第１部材とこれに嵌め合う凸部を有する第２部材とを有し、第１部材と第２部材が離れた状態で空気流路を開放する開閉手段を備えることによっても、サブタンクへの記録液の初期充填が可能になるとともに、これを使用する画像形成装置の初期立ち上がり動作を簡略化することができ、立ち上がり時間を短くすることができる。
【００６８】
なお、上記実施形態においては、本発明をマルチファンクション機能を有する画像形成装置に適用した例で説明した、単なるプリンタ、ファックス、複写機などの単機能の画像形成装置にも適用することができる。
【図面の簡単な説明】
【００６９】
【図１】本発明に係る画像形成装置の説明に供する概略構成図である。
【図２】同じく画像形成部及び副走査搬送部の平面説明図である。
【図３】同じく副走査搬送部の拡大説明図である。
【図４】本発明を適用する同画像形成装置に搭載するサブタンクの分解斜視説明図である。
【図５】同サブタンクの模式的側面説明図である。
【図６】図５のＡ−Ａ線に沿う概略断面説明図である。
【図７】本発明に係るサブタンクの第１実施形態におけるサブタンクの入口流路部分の空気流路を閉じた状態の断面説明図である。
【図８】同じく空気流路を開放した状態の断面説明図である。
【図９】同実施形態における開閉手段を構成するシャッタ部材の斜視説明図である。
【図１０】本発明に係るサブタンクの第２実施形態におけるサブタンクの入口流路部分の空気流路を閉じた状態の断面説明図である。
【図１１】同じく空気流路を開放した状態の断面説明図である。
【図１２】本発明に係るサブタンクの第３実施形態におけるサブタンクの入口流路部分の空気流路を閉じた状態の要部斜視説明図である。
【図１３】同じく空気流路を開放した状態の要部斜視説明図である。
【図１４】本発明に係るサブタンクの第４実施形態におけるサブタンクの空気流路部分の説明に供する斜視説明図である。
【図１５】同じく空気流路を閉じた状態の断面説明図である。
【図１６】同じく空気流路を開放した状態の断面説明図である。
【符号の説明】
【００７０】
１…装置本体
２…画像形成部
３…副走査搬送部
４…給紙部
５…用紙（被記録媒体）
６…排紙搬送部
７…排紙トレイ（排紙部）
１１…画像読取部
２１…ガイドロッド
２２…ガイドレール
２３…キャリッジ
２４…記録ヘッド
２５…サブタンク
３１…搬送ベルト
３２…搬送ローラ
３４…帯電ローラ
２００…インク収容部
２０１…ケース
２０２…フィルム状部材
２０３…弾性部材
２２１…空気流路
２３１…大気開放穴（口）
３０１…シャッタ部材
３０２…貫通穴
３０３…シール部材
３０４…保持部材
【図１】
0004704134.tif 000002
【図２】
0004704134.tif 000003
【図３】
0004704134.tif 000004
【図４】
0004704134.tif 000005
【図５】
0004704134.tif 000006
【図６】
0004704134.tif 000007
【図７】
0004704134.tif 000008
【図８】
0004704134.tif 000009
【図９】
0004704134.tif 000010
【図１０】
0004704134.tif 000011
【図１１】
0004704134.tif 000012
【図１２】
0004704134.tif 000013
【図１３】
0004704134.tif 000014
【図１４】
0004704134.tif 000015
【図１５】
0004704134.tif 000016
【図１６】
0004704134.tif 000017